【手続補正書】
【提出日】平成17年7月14日(2005.7.14)
【手続補正１】
【補正対象書類名】明細書
【補正対象項目名】全文
【補正方法】変更
【補正の内容】
【書類名】        明細書
【発明の名称】    施療ユニットの供電用コード絡み防止機構
【特許請求の範囲】
【請求項１】  マッサージ椅子の背凭れ部を昇降する施療子ユニットを枠状部材内に位置するよう具備し、該施療子ユニットに供電する供電用コードの絡みを防止し得るようにした施療子ユニットの供電用コード絡み防止機構であって、該施療子ユニットの供電用コード絡み防止機構は、該施療子ユニットの供電用コードを係止させて摺動可能に保持し得る保持部材と、該保持部材をこの一端に固着し、他端を前記背凭れ部上端適所に固定する発條部材とから成り、供電用コードが施療子ユニットの昇降に追従するよう構成する事を特徴とする施療子ユニットの供電用コード絡み防止機構。
【請求項２】  前記施療子ユニットの供電用コード絡み防止機構は、施療子ユニットと枠状部材間に配備させた事を特徴とする請求項１記載の施療子ユニットの供電用コード絡み防止機構。
【請求項３】  前記施療子ユニットの供電用コード絡み防止機構は、供電用コードの弛みを発條部材の取付け端方向へ引っ張るものである事を特徴とする請求項１記載の施療子ユニットの供電用コード絡み防止機構。
【請求項４】  前記保持部材を、供電用コードを挿入し得る円形若しくは楕円形のリング状に形成した事を特徴とする請求項１乃至請求項３記載の施療子ユニットの供電用コード絡み防止機構。
【請求項５】  前記保持部材を、円形若しくは楕円形のリング状でしかも側面視くの字状に屈曲形成して構成する事を特徴とする請求項１乃至請求項３記載の施療子ユニットの供電用コード絡み防止機構。
【発明の詳細な説明】
【０００１】
【産業上の利用分野】
本発明は、マッサージ椅子の背凭れやマッサージベッドの長手方向に移動自在に設けられるコード絡み防止機構に関り、詳しくは、施療子ユニットが移動する際に、これに接続されている供電用コードが施療子ユニットや他の部材へ絡むことを防止できるようにした施療子ユニットの供電用コード絡み防止機構に関するものである。
【０００２】
【従来の技術】
従来、マッサージ椅子やマッサージベッドの施療子ユニットの移動に際し、該施療子ユニットの移動に対応し得る供電用コードとして、通常の線状コードに代えて、伸縮性を有するカールコードが用いられている。
【０００３】
上記カールコードは、上記施療子ユニットの移動に応じて、螺旋状態を維持しつつ一定範囲で伸縮することができ、それによって、周辺機器への引掛かり等のトラブルの発生が、通常の線状コードを用いて構成する場合よりも比較的に少なくなるように構成されている。
【０００４】
【発明が解決しようとする課題】
しかし、上記カールコードは、上記施療子ユニットがその移動範囲の終端にあるときには伸張し、螺旋状態を一方向に保つことができるが、他端にあるときには、最も短く縮んでも、コードが余ってしまい、どうしても、弛みや該弛みによるねじれを生じてしまうという欠点があった。
【０００５】
供電用コードの上記のような弛みやねじれは、該コードが周辺の機器に引掛かったり擦れ合ったりする結果を招き、これが原因となって、コードや機器の破損や故障の他、火事を引き起こす危険性もあった。
【０００６】
本発明は、上記問題点に鑑みて成されたものであり、施療子ユニットがその移動範囲の如何なる位置にあるときでも、常に伸張状態を維持でき、弛みやねじれを生じないようにして供電用コードの絡みを防止できるようにする機構を提供する事を目的とする。
【０００７】
【課題を解決するための手段】
すなわち、本発明の施療子ユニットの供電用コード絡み防止機構は、マッサージ椅子の背凭れ部を昇降する施療子ユニットを枠状部材内に位置するよう具備し、該施療子ユニットに供電する供電用コードの絡みを防止し得るようにした施療子ユニットの供電用コード絡み防止機構であって、該施療子ユニットの供電用コード絡み防止機構は、該施療子ユニットの供電用コードを係止させて摺動可能に保持し得る保持部材と、該保持部材をこの一端に固着し、他端を前記背凭れ部上端適所に固定する発條部材とから成り、供電用コードが施療子ユニットの昇降に追従するよう構成する事を特徴とするものである。
【０００８】
また、本発明は、上記の施療子ユニットの供電用コード絡み防止機構を、施療子ユニットと枠状部材間に配備させた事を特徴とするものである。
【０００９】
更に、本発明は、上記の施療子ユニットの供電用コード絡み防止機構は、供電用コードの弛みを発條部材の取付け端方向へ引っ張るものである事を特徴とするものである。
【００１０】
更にまた、本発明は、施療子ユニットの供電用コード絡み防止機構を構成するために必要な保持部材を、供電用コードを挿入し得る円形若しくは楕円形のリング状に形成した事を特徴とする。
【００１１】
また本発明は、前記保持部材を円形若しくは楕円形のリング状でしかも側面視くの字状に屈曲形成して構成する事を特徴とするものでもある。
【００１２】
【作用】
本発明の施療子ユニットの供電用コード絡み防止機構は、上記のような構成を採用することにより次のような作用をもたらす。
本発明の施療子ユニットの供電用コード絡み防止機構においては、マッサージ椅子の背凭れやマッサージベッドの長手方向の所定範囲を枠状部材内で移動する施療子ユニットに接続されている供電用コードを、施療子ユニットの供電用コードを係止させて摺動可能に保持し得る保持部材と、該保持部材をこの一端に固着し、他端を前記背凭れ部上端適所に固定する発條部材とで構成しているので、施療子ユニットが如何なる位置に移動するときにおいても、前記供電用コードの弛みを、前記発條部材の弾性により該発條部材の取付け端方向に引っ張ることができ、それによって弛みの無い緊張状態に保つことができる。
【００１３】
また本発明は、前記保持部材を円形若しくは楕円形のリング状でしかも側面視くの字状に屈曲形成して構成する事で、供電用コードがこの保持部材のリング内で容易に摺動できるようにしている。
【００１４】
【発明の実施の態様】
以下、本発明の施療子ユニットの供電用コード絡み防止機構を、図面に示す一実施例に基づいてこれを詳細に説明する。
図１は、本発明の施療子ユニットの供電用コード絡み防止機構１をマッサージ椅子に使用した一実施例を示したものであり、該マッサージ椅子は、この背凭れ部を昇降する施療子ユニット３を枠状部材内に位置するよう具備したものであり、この施療子ユニット３に供電する供電用コード２の絡みを防止し得るようにした施療子ユニットの供電用コード絡み防止機構１を設けたものである。
【００１５】
すなわち、前記施療子ユニットの供電用コード絡み防止機構１は、図２乃至図６に示したように、該施療子ユニット３の供電用コード２を係止させて摺動可能に保持し得る保持部材１１と、該保持部材１１をこの一端に固着し、他端を前記背凭れ部上端適所に固定する発條部材１２とで構成されており、供電用コードの弛みを、前記発條部材１２の弾性により該発條部材１２の取付け端方向に引っ張ることができ、前記供電用コード２が施療子ユニット３の昇降に追従するようにしている。
【００１６】
前記保持部材１１は、図３及び図４に示したように、金属材或いは樹脂材により円形若しくは楕円形のリング状に形成しており、該保持部材１１のリング内に前記供電用コード２を挿入して該供電用コード２がこのリング内で摺動できるようにしている。
【００１７】
また、前記保持部材１１は、図５及び図６に示したように、金属材或いは樹脂材により円形若しくは楕円形のリング状でしかも側面視くの字状に屈曲形成してもよく、該形状にする事により、該保持部材１１のリング内に前記供電用コード２を挿入して該供電用コード２がこのリング内で可及的に円滑に摺動できるようにすることができる。
【００１８】
前記発條部材１２は、例えば弦巻バネのように、金属材や樹脂材により連続した螺旋形状に形成して伸縮自在に構成したものであり、該発條部材１２の一端に前記保持部材１１を連続的に固着し、他端を図１及び図２のように前記背凭れ部の枠状部材４一側上端適所に固定することで、保持部材１１を吊止状態に保持して発條部材１２の伸縮により上下に追従移動できるようにしている。
【００１９】
尚、前記供電用コード２は、図１及び図２に示したように、一端が前記施療子ユニット３に接続されていると共に他端を外部電源に接続されるものであり、施療子ユニット３の昇降に対応できるよう該ユニット３の移動範囲以上の長さに設定されている。
【００２０】
また前記施療子ユニット３は、周知のように枠状部材４内両側のガイドレール４１・４１に保持されると共に枠状部材４に支持される螺子棒５に螺合させており、該螺子棒５の回転によりガイドレール４１・４１沿って昇降移動自在に配設されている。
【００２１】
更に施療子ユニット３には、図１及び図２に示したような施療子６・６の一対とこれら一対の施療子６・６に揉みや叩き等の動作を行なわせることのできる駆動機構が設けられている。
【００２２】
前記螺子棒５の駆動は、例えば図１及び図２に示したように、前記枠状部材４の下部に配置された駆動モータ５１と、該駆動モータ５１の軸端に設けられた駆動プーリ５２と、前記螺子棒５の下部に設けられた従動プーリ５３と、該従動プーリ５３及び駆動プーリ５２間に介設される無端ベルト５４とによって行われるよう構成されており、駆動モータ５１の正逆駆動により螺子棒５が正逆回転できるようにしている。
【００２３】
以上のように、本発明の施療子ユニットの供電用コード絡み防止機構１は、駆動モータ５１の駆動により施療子ユニット３を上昇させ、図１に示したような状態にした場合には、発條部材１２の収縮復元力により保持部材１１を上昇させて、施療子ユニット３の昇動に追従する供電用コード２を上昇保持させることができる。
【００２４】
また、駆動モータ５１の駆動により施療子ユニット３を下降させ、図２に示したような状態にした場合には、発條部材１２を伸張させて保持部材１１を下降させ、施療子ユニット３の下降に追従する供電用コード２を下降保持させることができる。
【００２５】
【発明の効果】
よって、本発明の施療子ユニットの供電用コード絡み防止機構は、施療子ユニットがその移動範囲の如何なる位置にあるときでも、常に伸張状態を維持でき、弛みやねじれを生じないようにして供電用コードの絡みを防止できるよう構成しているため、コードが余ったり弛みを生じさせる従来の線状コードや伸縮性を有するカールコードとは異なり、コードが周辺の機器に引掛かったり擦れ合ったりすることがなく、またこれに起因するコードや機器の破損や故障の他、火事を引き起こす危険性もなく、従来の欠点を一掃し得る効果絶大なものである。
【図面の簡単な説明】
【図１】
本発明の施療子ユニットの供電用コード絡み防止機構をマッサージ椅子に使用した一実施例を示した説明図である。
【図２】
本発明の施療子ユニットの供電用コード絡み防止機構をマッサージ椅子に使用した一実施例を示した説明図である。
【図３】
本発明の施療子ユニットの供電用コード絡み防止機構の一実施例を示した説明図である。
【図４】
本発明の施療子ユニットの供電用コード絡み防止機構の一実施例を示した説明図である。
【図５】
本発明の施療子ユニットの供電用コード絡み防止機構の他の実施例を示した説明図である。
【図６】
本発明の施療子ユニットの供電用コード絡み防止機構の他の実施例を示した説明図である。
【符号の説明】
１  施療子ユニットの供電用コード絡み防止機構
１１  保持部材
１２  撥條部材
２  供電用コード
３  施療子ユニット
４  枠状部材